(57)【特許請求の範囲】
【請求項１】
乗客コンベアの移動手摺の消毒を行うために該移動手摺の引き込み側又は送り出し側の少なくとも一方の手摺出入口の手前に設置される消毒手段と、
所定の作動条件に基づいて、前記消毒手段による消毒動作を制御する制御手段とを備えた移動手摺消毒装置であって、
前記消毒手段が、
前記移動手摺に接触させる塗布ローラと、
該塗布ローラに接触させて第１の消毒液を供給する第１の含浸ローラと、
前記塗布ローラに接触させて第２の消毒液を供給する第２の含浸ローラと、
前記塗布ローラに接触させるローラを前記第１の含浸ローラ又は前記第２の含浸ローラに切り換える接触ローラ切換手段とを備え、
該接触ローラ切換手段が、
前記第１の含浸ローラが配設された第１の消毒液槽が設置される第１のスライド部と、
前記第２の含浸ローラが配設された第２の消毒液槽が設置される第２のスライド部と、
前記第１のスライド部と前記第２のスライド部とを個別にスライド移動させるスライド機構とを備え、
前記制御手段が、
所定の切換条件が成立した場合に、前記スライド機構を制御して、前記塗布ローラに接触させるローラを前記第１の含浸ローラ又は前記第２の含浸ローラに切り換えるように前記第１のスライド部及び前記第２のスライド部をスライド移動させる機能を備えていることを特徴とする乗客コンベアの移動手摺消毒装置。
【請求項２】
前記塗布ローラを前記移動手摺に選択的に接触させ得るように前記消毒手段を昇降させる昇降手段を備え、
前記制御手段が、前記スライド機構を制御して、前記第１のスライド部及び前記第２のスライド部をスライド移動させた後、前記昇降手段を制御して、前記塗布ローラを前記移動手摺に押し当てた状態となるように前記消毒手段を上昇させる機能を備えていることを特徴とする請求項１記載の乗客コンベアの移動手摺消毒装置。
【請求項３】
前記塗布ローラの軸受部、前記第１の含浸ローラの軸受部、及び前記第２の含浸ローラの軸受部が、これら各ローラの回転動作に回転摺動抵抗が付与されるように構成されていることを特徴とする請求項１又は請求項２記載の乗客コンベアの移動手摺消毒装置。
【請求項４】
当該消毒装置で得られた情報を外部の管理センターへ送信する通信手段と、
前記移動手摺の表面の汚れを検出する汚れ検出手段とを備え、
前記制御手段が、前記汚れ検出手段により検出された汚れ状態に基づいて、前記消毒手段による消毒動作を行うタイミング及び時間を制御するとともに、
前記通信手段を制御して、前記汚れ検出手段により検出された汚れ状態に関する情報を前記管理センターへ送信するものであることを特徴とする請求項１〜３のいずれかの項に記載の乗客コンベアの移動手摺消毒装置。
【請求項５】
当該消毒装置で得られた情報を外部の管理センターへ送信する通信手段と、
前記乗客コンベアに乗り込む人数を検出する乗客人数検出手段を備え、
前記制御手段が、前記乗客人数検出手段により検出される累積乗客人数に基づいて、前記消毒手段による消毒動作を行うタイミング及び時間を制御するとともに、
前記通信手段を制御して、前記乗客人数検出手段により検出される累積乗客人数に関する情報を前記管理センターへ送信するものであることを特徴とする請求項１〜３のいずれかの項に記載の乗客コンベアの移動手摺消毒装置。
【請求項６】
当該消毒装置で得られた情報を外部の管理センターへ送信する通信手段と、
前記移動手摺に身体の一部が接触していることを検出する手摺接触検出手段を備え、
前記制御手段が、前記手摺接触検出手段により検出される手摺接触検出状態に基づいて、前記消毒手段による消毒動作を行うタイミング及び時間を制御するとともに、
前記通信手段を制御して、前記手摺接触検出手段により検出される手摺接触検出状態に関する情報を前記管理センターへ送信するものであることを特徴とする請求項１〜３のいずれかの項に記載の乗客コンベアの移動手摺消毒装置。
【請求項７】
当該消毒装置で得られた情報を外部の管理センターへ送信する通信手段と、
前記移動手摺の表面に付着している所定のウイルスを検出するウイルス検出手段を備え、
前記制御手段が、前記ウイルス検出手段により検出されるウイルス検出状態に基づいて、前記消毒手段による消毒動作を行うタイミング及び時間を制御するとともに、
前記通信手段を制御して、前記ウイルス検出手段により検出される前記所定のウイルスの検出状態に関する情報を前記管理センターへ送信するものであることを特徴とする請求項１〜３のいずれかの項に記載の乗客コンベアの移動手摺消毒装置。
【発明の詳細な説明】
【技術分野】
【０００１】
本発明は乗客コンベアの移動手摺消毒装置に関し、より詳細には、エスカレータや動く歩道などの乗客コンベアの移動手摺の表面を消毒することのできる乗客コンベアの移動手摺消毒装置に関する。
【背景技術】
【０００２】
駅やデパート等の公共施設や商業施設等には、エスカレータが設置されている。エスカレータには、利用者が立つステップの両側にステップと同期して周回移動する無端状の移動手摺が設けられている。エスカレータを安全に利用するためには、利用者は、移動手摺を掴んだ状態でステップの上に乗り、利用中も移動手摺を掴んだ状態でいることが望まれる。
【０００３】
しかし、エスカレータの移動手摺は、不特定多数の利用者が掴むものであるため、移動手摺に触れるのを望まない利用者もいる。特にインフルエンザなどが流行している時節においては、移動手摺を介してのウイルス感染を懸念して、移動手摺に触れないようにして乗る利用者も多い。
【０００４】
そこで、従来より、乗客コンベアの移動手摺を消毒する装置が提案されている。例えば、下記の特許文献１には、移動手摺の表面の消毒を行うローラが、移動手摺の入り込み口近傍のトラス内に設置され、エスカレータの乗り口に利用者が来たことをセンサで検知すると、移動手摺が１周移動する時間ほどローラを移動手摺に接触させて、移動手摺の消毒を行うことのできる装置が開示されている。
【０００５】
しかしながら、特許文献１記載の消毒装置では、エスカレータの利用者を検知すると、ローラによる消毒を行う構成のため、通行人が多い場所では、結局のところ常時、ローラによる消毒を行うこととなり、移動手摺と接触するローラ等の劣化や汚れが早く進み、また、ローラがトラス内に設けられているので、それらの交換等のメンテナンス作業も容易ではないという課題があった。
【０００６】
また、特許文献１記載の消毒装置では、移動手摺の汚れ（粉塵などの小さなゴミ、油分等）やウイルス等の付着状況とは関係なく、消毒を行うため、消毒液の補充やローラの交換頻度が高くなる傾向にあり、メンテナンス（保守）費用が嵩むという課題があった。
【０００７】
また、商業施設等では、エスカレータは各階に設けられているため、施設全体で十数台程度又はそれ以上の台数が設置されている。このような施設の各エスカレータに、特許文献１記載の消毒装置を設置した場合、各エスカレータの利用者の数は同じではないため、各エスカレータに設置した消毒装置毎に、ローラの劣化や汚れ度合い、或は消毒液の減り具合等も異なることとなるが、これら各消毒装置の状況を消毒装置の外部からは把握することができないため、どの消毒装置に対しても一律にメンテナンス作業等を行わなければならず、これらの作業負担を減らすことが難しく、また、消毒装置毎の管理を適切に行うことができていないという課題があった。
【先行技術文献】
【特許文献】
【０００８】
【特許文献１】特開２０１１−１２１６６４号公報
【発明の概要】
【課題を解決するための手段及びその効果】
【０００９】
本発明は上記課題に鑑みなされたものであって、状況に応じた無駄の少ない適切な消毒処理を行うことができ、また、装置の情報を管理センターで一元的に管理することができ、情報の共有性やメンテナンス性を向上させることができる乗客コンベアの移動手摺消毒装置を提供することを目的としている。
【００１０】
上記目的を達成するために本発明に係る乗客コンベアの移動手摺消毒装置（１）は、乗客コンベアの移動手摺の消毒を行うために該移動手摺の引き込み側又は送り出し側の少なくとも一方の手摺出入口の手前に設置される消毒手段と、所定の作動条件に基づいて、前記消毒手段による消毒動作を制御する制御手段とを備えた移動手摺消毒装置であって、前記消毒手段が、前記移動手摺に接触させる塗布ローラと、該塗布ローラに接触させて第１の消毒液を供給する第１の含浸ローラと、前記塗布ローラに接触させて第２の消毒液を供給する第２の含浸ローラと、前記塗布ローラに接触させるローラを前記第１の含浸ローラ又は前記第２の含浸ローラに切り換える接触ローラ切換手段とを備え、該接触ローラ切換手段が、前記第１の含浸ローラが配設された第１の消毒液槽が設置される第１のスライド部と、前記第２の含浸ローラが配設された第２の消毒液槽が設置される第２のスライド部と、前記第１のスライド部と前記第２のスライド部とを個別にスライド移動させるスライド機構とを備え、前記制御手段が、所定の切換条件が成立した場合に、前記スライド機構を制御して、前記塗布ローラに接触させるローラを前記第１の含浸ローラ又は前記第２の含浸ローラに切り換えるように前記第１のスライド部及び前記第２のスライド部をスライド移動させる機能を備えていることを特徴としている。
【００１１】
上記乗客コンベアの移動手摺消毒装置（１）によれば、所定の切換条件が成立した場合に、前記スライド機構を制御して、前記第１のスライド部と前記第２のスライド部とを個別にスライド移動させることにより、前記塗布ローラに接触させるローラを前記第１の含浸ローラから前記第２の含浸ローラに、又は前記第２の含浸ローラから前記第１の含浸ローラに切り換えることができ、当該消毒装置の状況等に応じて２種類の消毒液を適切に使い分けることが可能となり、状況に応じた無駄の少ない適切な消毒処理を行うことができる。
例えば、通常時は、前記塗布ローラに前記第１の含浸ローラを接触させて、第１の消毒液を前記第１の含浸ローラから前記塗布ローラに含浸させて、第１の消毒液で移動手摺の消毒を行い、前記切換条件が成立した場合に、前記塗布ローラに接触させるローラを前記第１の含浸ローラから前記第２の含浸ローラに切り換えて、第２の消毒液を前記第２の含浸ローラから前記塗布ローラに含浸させて、第２の消毒液で移動手摺の消毒を行うようにすることができる。また、スライド構造によって前記第１の含浸ローラと前記第２の含浸ローラとを備えた場合でもコンパクトな装置構成とすることができる。
【００１２】
また本発明に係る乗客コンベアの移動手摺消毒装置（２）は、上記乗客コンベアの移動手摺消毒装置（１）において、前記塗布ローラを前記移動手摺に選択的に接触させ得るように前記消毒手段を昇降させる昇降手段を備え、前記制御手段が、前記スライド機構を制御して、前記第１のスライド部及び前記第２のスライド部をスライド移動させた後、前記昇降手段を制御して、前記塗布ローラを前記移動手摺に押し当てた状態となるように前記消毒手段を上昇させる機能を備えていることを特徴としている。
【００１３】
上記乗客コンベアの移動手摺消毒装置（２）によれば、前記スライド機構を制御して、前記第１のスライド部及び前記第２のスライド部をスライド移動させた後、前記昇降手段を制御して、前記塗布ローラを前記移動手摺に押し当てた状態となるように前記消毒手段を上昇させることができ、当該消毒装置の状況等に応じて２種類の消毒液を適切に使い分けることが可能となるとともに前記塗布ローラの前記移動手摺への接触（消毒）を間欠的に行うことができ、状況に応じたより無駄の少ない適切な消毒処理を行うことができる。
【００１４】
また本発明に係る乗客コンベアの移動手摺消毒装置（３）は、上記乗客コンベアの移動手摺消毒装置（１）又は（２）において、前記塗布ローラの軸受部、前記第１の含浸ローラの軸受部、及び前記第２の含浸ローラの軸受部が、これら各ローラの回転動作に回転摺動抵抗が付与されるように構成されていることを特徴としている。
【００１５】
上記乗客コンベアの移動手摺消毒装置（３）によれば、前記塗布ローラの軸受部、前記第１の含浸ローラの軸受部、及び前記第２の含浸ローラの軸受部が、これら各ローラの回転動作に回転摺動抵抗が付与されるように構成されているので、前記塗布ローラの回転速度が前記移動手摺の移動速度よりも遅くなるように調整することができる。したがって、前記塗布ローラと前記移動手摺との間に回転摺動抵抗（スリップさせる状態）を生じさせることができ、消毒液の塗布効率及び汚れの拭き取り効率等を高めることができる。
【００１６】
また本発明に係る乗客コンベアの移動手摺消毒装置（４）は、上記乗客コンベアの移動手摺消毒装置（１）〜（３）のいずれかにおいて、当該消毒装置で得られた情報を外部の管理センターへ送信する通信手段と、前記移動手摺の表面の汚れを検出する汚れ検出手段を備え、前記制御手段が、前記汚れ検出手段により検出された汚れ状態に基づいて、前記消毒手段による消毒動作を行うタイミング及び時間を制御するとともに、前記通信手段を制御して、前記汚れ検出手段により検出された汚れ状態に関する情報を前記管理センターへ送信するものであることを特徴としている。
【００１７】
上記乗客コンベアの移動手摺消毒装置（４）によれば、前記通信手段により、当該消毒装置で得られた各種の情報を外部の管理センターへ送信することができるので、前記管理センターでは、例えば、施設内の各乗客コンベアに設置された複数の消毒装置の情報を一元的に管理することが可能となり、これら情報に基づき、消毒装置毎に適切なメンテナンスを行うことが可能となり、情報の共有性及びメンテナンス性を向上させることができる。
また、前記汚れ検出手段により検出された汚れ状態に基づいて、前記消毒手段による消毒動作を行うタイミング及び時間が制御されるので、前記汚れ状態に基づいた適切な頻度で、前記移動手摺の消毒を行うことができ、必要以上の消毒処理が行われることを抑制でき、消毒液等のメンテナンス費用を抑えることができる。また、前記管理センターでは、各消毒装置の前記汚れ検出手段により検出された汚れ状態に関する情報を管理することができ、消毒装置毎に適切なタイミングで必要なメンテナンスを行うことが可能となる。
【００１８】
また本発明に係る乗客コンベアの移動手摺消毒装置（５）は、上記乗客コンベアの移動手摺消毒装置（１）〜（３）のいずれかにおいて、当該消毒装置で得られた情報を外部の管理センターへ送信する通信手段と、前記乗客コンベアに乗り込む人数を検出する乗客人数検出手段を備え、前記制御手段が、前記乗客人数検出手段により検出される累積乗客人数に基づいて、前記消毒手段による消毒動作を行うタイミング及び時間を制御するとともに、前記通信手段を制御して、前記乗客人数検出手段により検出される累積乗客人数に関する情報を前記管理センターへ送信するものであることを特徴としている。
【００１９】
上記乗客コンベアの移動手摺消毒装置（５）によれば、前記乗客人数検出手段により検出される累積乗客人数に基づいて、前記消毒手段による消毒動作を行うタイミング及び時間が制御されるので、前記累積乗客人数に基づいた適切な頻度で、前記移動手摺の消毒を行うことができ、必要以上の消毒処理が行われることを抑制でき、消毒液等のメンテナンス費用を抑えることができる。また、前記管理センターでは、各消毒装置の前記乗客人数検出手段により検出された前記累積乗客人数を管理することができ、消毒装置毎に適切なタイミングで必要なメンテナンスを行うことが可能となる。
【００２０】
また本発明に係る乗客コンベアの移動手摺消毒装置（６）は、上記乗客コンベアの移動手摺消毒装置（１）〜（３）のいずれかにおいて、当該消毒装置で得られた情報を外部の管理センターへ送信する通信手段と、前記移動手摺に身体の一部が接触していることを検出する手摺接触検出手段を備え、前記制御手段が、前記手摺接触検出手段により検出される手摺接触検出状態に基づいて、前記消毒手段による消毒動作を行うタイミング及び時間を制御するとともに、前記通信手段を制御して、前記手摺接触検出手段により検出される手摺接触検出状態に関する情報を前記管理センターへ送信するものであることを特徴としている。
【００２１】
上記乗客コンベアの移動手摺消毒装置（６）によれば、前記手摺接触検出手段により検出される手摺接触検出状態に基づいて、前記消毒手段による消毒動作を行うタイミング及び時間が制御されるので、前記手摺接触検出状態、例えば、移動手摺に接触した累積人数等に基づいた適切な頻度で、左右に設けられた各移動手摺の消毒を個別に行うことができ、必要以上の消毒処理が行われることを抑制でき、消毒液等のメンテナンス費用を抑えることができる。また、前記管理センターでは、各消毒装置の前記手摺接触検出手段により検出された前記手摺接触検出状態を管理することができ、消毒装置毎に適切なタイミングで必要なメンテナンスを行うことが可能となる。
【００２２】
また本発明に係る乗客コンベアの移動手摺消毒装置（７）は、上記乗客コンベアの移動手摺消毒装置（１）〜（３）のいずれかにおいて、当該消毒装置で得られた情報を外部の管理センターへ送信する通信手段と、前記移動手摺の表面に付着している所定のウイルスを検出するウイルス検出手段を備え、前記制御手段が、前記ウイルス検出手段により検出されるウイルス検出状態に基づいて、前記消毒手段による消毒動作を行うタイミング及び時間を制御するとともに、前記通信手段を制御して、前記ウイルス検出手段により検出される前記所定のウイルスの検出状態に関する情報を前記管理センターへ送信するものであることを特徴としている。
【００２３】
上記乗客コンベアの移動手摺消毒装置（７）によれば、前記ウイルス検出手段により検出されるウイルス検出状態に基づいて、前記消毒手段による消毒動作を行うタイミング及び時間が制御されるので、前記ウイルスの検出状態、例えば、インフルエンザウイルスやノロウイルス等を検出した場合など、公衆衛生上、消毒を行う必要性が高い場合に、タイミングよく、かつ十分な消毒を行うことができ、公衆衛生の向上を図ることができる。また、前記管理センターでは、各消毒装置の前記ウイルス検出手段により検出された前記ウイルス検出状態を管理することができ、消毒を行う必要性が高い乗客コンベアを把握することができ、適切な消毒液への交換等、消毒装置毎に適切なタイミングで必要なメンテナンスを行うことが可能となる。
【図面の簡単な説明】
【００２４】
【図１】本発明の実施の形態に係る乗客コンベアの移動手摺消毒装置が取り付けられた乗客コンベアの要部を概略的に示した側面図である。
【図２】実施の形態に係る乗客コンベアの移動手摺消毒装置の要部を概略的に示した側面図である。
【図３】実施の形態に係る乗客コンベアの移動手摺消毒装置の塗布ローラ付近の要部を概略的に示した正面図である。
【図４】実施の形態に係る乗客コンベアの移動手摺消毒装置における制御部の行う消毒処理動作を示したフローチャートである。
【発明を実施するための形態】
【００２５】
以下、本発明に係る乗客コンベアの移動手摺消毒装置の実施の形態を図面に基づいて説明する。図１は、実施の形態に係る乗客コンベアの移動手摺消毒装置（以下、移動手摺消毒装置と記す）が取り付けられたエスカレータの要部を概略的に示した側面図である。
【００２６】
エスカレータ１は、エスカレータ全体を下方から支持する鉄骨製の基礎部（以下、トラスと言う）２を備え、トラス２内には、互いに連なった状態で上層階と下層階との間を移動する多数のステップ（図示せず）が配置されている。これらステップは、利用者がその上に乗る踏板面を有する部材である。また、トラス２内には、モータおよび減速機等を含む駆動ユニット（図示せず）、及び該駆動ユニットを含むエスカレータ全体の制御を行うエスカレータ制御部（図示せず）などが配設されている。
【００２７】
トラス２内に配置されたステップの両側には、金属板または樹脂板からなる欄干部３がそれぞれ立設されている。欄干部３の外周縁部にはガイドレール４が設けられており、このガイドレール４に沿って無端状の移動手摺５がステップの移動と同期して周回移動するように構成されている。利用者は移動手摺５を手で掴んだ状態でステップの上に立ってエスカレータ１に乗ることができる。
【００２８】
以下においては、エスカレータ１が上り運転されている場合、すなわち移動手摺５が矢印Ａ方向に移動している場合を想定して説明する。
移動手摺５は、トラス２の下層階側（手摺の送り出し側）のインレット部（送り出し口）６Ａからトラス２外へと出て、下層階乗り口において折り返して、欄干部３上縁部のガイドレール４に沿って矢印Ａ方向へ移動し、上層階降り口において再び折り返して、トラス２の上層階側（手摺の引き込み側）に形成されたインレット部（引き込み口）６Ｂからトラス２内に進入し、トラス２内を通って下層階乗り口のインレット部６Ａへと周回移動するようになっている。
【００２９】
下層階側の左右のインレット部６Ａの手前には、移動手摺消毒装置１０Ｂがそれぞれ設置されている。なお、移動手摺消毒装置１０Ｂは、上りのエスカレータの場合は、下層階側のインレット部６Ａの手前、一方下りのエスカレータの場合は、上層階側のインレット部６Ｂの手前に設置することが好ましいが、この設置形態に限定されるものではなく、上層階側及び下層階側の両側のインレット部６Ａ、６Ｂの手前に設けることもできる。
【００３０】
移動手摺消毒装置１０Ｂの設置方法は、特に限定されるものではなく、床面に取り付ける構成、インレット部６Ａの側面に取り付ける構成、又は装置上面側に強力クリップ等の狭持手段を設け、該狭持手段を利用して欄干部３にワンタッチで取り付け可能な構成などが採用され得る。
【００３１】
また、移動手摺消毒装置１０Ｂは、基地局１０１、インターネット通信網や電話通信網などの通信ネットワーク１０２を介して管理センター１００との間でデータのやり取りを行うことが可能となっている。外部の管理センター１００は、エスカレータ１が設置されている施設内の情報管理センター、又はエスカレータ１を施設外で管理する情報管理センターに対応するものであり、サーバ等を含むコンピュータシステムにより構成されている。
【００３２】
図２は、実施の形態に係る移動手摺消毒装置１０Ｂの要部を概略的に示した側面図である。図３は、実施の形態に係る移動手摺消毒装置１０Ｂの塗布ローラ付近の要部を概略的に示した正面図である。
【００３３】
移動手摺消毒装置１０Ｂは、略Ｃ字状の断面形状を有する移動手摺５の表面に接触させて、移動手摺５の移動とともに回転させる塗布ローラ１７と、塗布ローラ１７の表面に接触させて回転させながら、塗布ローラ１７に第１の消毒液３０Ａを供給する第１の含浸ローラ１８と、塗布ローラ１７の表面に接触させて回転させながら、塗布ローラ１７に第２の消毒液３０Ｂを供給する第２の含浸ローラ１９とを備えている。本実施の形態では、第１の含浸ローラ１８と第２の含浸ローラ１９とが、塗布ローラ１７と連れ回り方向に回転するように設けられているが、モータ等の駆動力を利用して逆方向に回転するように設けることも可能である。
【００３４】
図３に示すように、塗布ローラ１７は、昇降移動する架台２０Ａに立設された側壁２０ｃに、軸受部２０ｄを介して回転可能に軸支されている。塗布ローラ１７の表面は、移動手摺５の表面と接触するように略Ｕ字状に形成されており、略Ｃ字状の断面形状をした移動手摺５の側面にも接触させ得る構成となっている。
【００３５】
架台２０Ａ上には、第１のスライド板２２Ａがスライド移動可能に配設され、第１のスライド板２２Ａ上には、第１の消毒液槽３３が配設され、第１の消毒液槽３３の両側には、側壁２２ｃが第１のスライド板２２Ａ上に立設されている。
【００３６】
第１の含浸ローラ１８は、側壁２２ｃに軸受部２２ｄを介して回転可能に軸支され、また、その一部が、第１の消毒液槽３３の第１の消毒液３０Ａ中に浸漬されるようになっている。
【００３７】
また、架台２０Ａ上には、第２のスライド板２２Ｂがスライド移動可能に配設され、第２のスライド板２２Ｂ上には、第２の消毒液槽３４が配設され、第２の消毒液槽３４の両側には、側壁（図示せず）が第２のスライド板２２Ｂ上に立設されている。
【００３８】
第２の含浸ローラ１８は、前記側壁に軸受部（図示せず）を介して回転可能に軸支され、その一部が、第２の消毒液槽３４の第２の消毒液３０Ｂ中に浸漬されるようになっている。
【００３９】
また、移動手摺消毒装置１０Ｂには、架台２０Ａを昇降移動させる昇降機構２１Ａ、第１のスライド板２２Ａ及び第２のスライド板２２Ｂを、塗布ローラ１７の回転軸１７ａと直交する方向に対して個別にスライド移動させるスライド機構２３Ａが装備されている。昇降機構２１Ａやスライド機構２３Ａの構成には、延伸機構を有する電磁式のアクチュエータ、モータ駆動式カム機構、又はウォームギアやラック＆ピニオンなどの歯車機構とモータとを組み合わせた各種の駆動機構が採用され得る。
【００４０】
第１のスライド板２２Ａ、第２のスライド板２２Ｂ及びスライド機構２３Ａにより、塗布ローラ１７に接触させるローラを第１の含浸ローラ１８又は第２の含浸ローラ１９に切り換える接触ローラ切換機構が構成されている。
【００４１】
また、塗布ローラ１７の軸受部２０ｄ、第１の含浸ローラ１８の軸受部２２ｄ及び第２の含浸ローラ１９の軸受部（図示せず）は、各ローラ回転軸の回転動作に回転摺動抵抗が付与されるように構成されている。この回転摺動抵抗により、塗布ローラ１７の回転速度が移動手摺５の移動速度よりも遅くなるように調整され、塗布ローラ１７と移動手摺５との間に回転摺動抵抗が作用することで、消毒液の塗布効率及び汚れの拭取り効率等が高められるようになっている。
【００４２】
第１の消毒液槽３３には、第１ポンプ３１Ａを介して第１の消毒液タンク３２Ａが接続され、第１の消毒液３０Ａが、第１の消毒液タンク３２Ａから所定のタイミング（例えば、第１の消毒液槽３３内に設けられた液面レベルを検知するレベルセンサ（図示せず）によって、液面が所定のレベル以下になったと検出されたタイミング）で第１の消毒液槽３３に供給されるようになっている。
【００４３】
第２の消毒液槽３４には、第２ポンプ３１Ｂを介して第２の消毒液タンク３２Ｂが接続され、第２の消毒液３０Ｂが、第２の消毒液タンク３２Ｂから所定のタイミング（例えば、第２の消毒液槽３４内に設けられた液面レベルを検知するレベルセンサ（図示せず）によって、液面が所定のレベル以下になったと検出されたタイミング）で第２の消毒液槽３４に供給されるようになっている。
【００４４】
第１の消毒液タンク３２Ａと第２の消毒液タンク３２Ｂとには、異なる種類の消毒液が充填されており、第１の消毒液３０Ａには、第２の消毒液３０Ｂよりも汚れを除去する効果の高い消毒液（洗浄液）が使用され、第２の消毒液３０Ｂには、第１の消毒液３０Ａよりも、ウイルス等の殺菌性能に優れた消毒液が使用される。
【００４５】
第２の消毒液３０Ｂには、例えば、高濃度（７０〜８０％程度）エタノールなどの消毒・殺菌性能が高いアルコール製剤、所定濃度（例えば、０．０５〜０．２％程度）のヨウ素を含む溶液、所定濃度（例えば０．０１〜０．２％程度）の次亜塩素酸ナトリウム溶液、所定濃度の（例えば、０．０５〜０．１％程度）塩化ベンザルコニウム溶液が使用される。
【００４６】
移動手摺消毒装置１０Ｂには、移動手摺５の表面に付着している汚れの状態を検出する汚れ検出部４０が装備されている。汚れ検出部４０は、外観検査を行うための画像センサや画像処理部などを含んで構成され、小さなゴミ（粉塵）などの異物や油分等が表面に付着している状態やその程度（付着範囲、付着数など）を、常時又は定期的にモニタする機能を有しており、汚れ等の検出信号が制御部６０Ｂに出力されるようになっている。
【００４７】
ウイルス検出部４１は、移動手摺５に付着している所定のウイルス（例えば、インフルエンザウイルスやノロウイルス等）を検出する機能を有している。ウイルス検出部４１によるウイルスの検出方法は如何なる方法であってもよく、例えば、インフルエンザウイルス等の抗原検出試薬を用いたイムノクロマト法などの検出法が採用され、検出処理（検体採取、検体液抽出、反応処理、及び判定処理等）を自動的に実行するように構成されている。そして、ウイルス検出部４１で検出されたウイルス検知信号が制御部６０Ｂに出力されるようになっている。
【００４８】
手摺センサ７１は、乗客が移動手摺５に掴まっていることを検知するためのセンサである。手摺センサ７１は、エスカレータ１の乗り口付近、又は乗り口から数ステップ先付近の左右の移動手摺５の上方や建物の側壁等にそれぞれ設置され、所定の検知エリア内で、移動手摺５の上に物体があることを検知することで、乗客が移動手摺５に掴まっていることを左右の移動手摺５ごとに検知するものである。手摺センサ７１は、画像センサや画像処理部などを含んで構成され、手摺センサ７１で検出された信号が制御部６０Ｂに出力されるようになっている。
【００４９】
移動手摺消毒装置１０Ｂには、外部の管理センター１００と通信するための通信部５０が装備されている。通信部５０には、図１に示した基地局１０１、インターネット通信網や電話通信網などの通信ネットワーク１０２を介して管理センター１００との間でデータのやり取りを行うことができる無線通信機能が装備されている。なお、通信部５０は、有線での通信機能を備えているもので構成することもできる。
【００５０】
制御部６０Ｂは、昇降機構２１Ａ、スライド機構２３Ａ、第１のポンプ３１Ａ、第２のポンプ３１Ｂ、汚れ検出部４０、ウイルス検出部４１及び通信部５０等の各部の動作制御やデータの送受信の制御を行うものであり、図示しないマイコン、入出力インターフェース、メモリ、タイマー回路及び電源回路等を含んで構成されている。
【００５１】
また、制御部６０Ｂは、ウイルス検出部４１でウイルスが検出された場合（第１の切換条件）に、塗布ローラ１７に接触させるローラを第１の含浸ローラ１８から第２の含浸ローラ１９に切り換え、汚れ検出部４０で検出された汚れ状態が所定の汚れ状態になった場合（第２の切換条件）に、塗布ローラ１７に接触させるローラを第２の含浸ローラ１９から第１の含浸ローラ１８に切り換える制御機能を有している。
【００５２】
図４は、実施の形態に係る移動手摺消毒装置１０Ｂにおける制御部６０Ｂの行う消毒処理動作を示したフローチャートである。
まず、ステップＳ４１では、汚れ検出部４０から汚れ検出信号を入力し、次のステップＳ４２では、移動手摺５の表面が所定の汚れ状態になったか否か（例えば、ごみなどの付着異物の検出数が前回の消毒動作後から所定数に達したか否か等）を判断し、所定の汚れ状態になった（例えば、付着異物の検出数が所定数に達した）と判断すればステップＳ４３に進む。
【００５３】
ステップＳ４３では、通信部５０を制御して、汚れ状態に関する情報（例えば、自己の装置の識別情報、前回の消毒動作後からの経過時間情報、及び付着異物の検出数を含む情報）を外部の管理センター１００へ送信する処理を行い、その後ステップＳ４４に進む。
【００５４】
ステップＳ４４では、第１の消毒液３０Ａを含む第１の含浸ローラ１８と塗布ローラ１７とによる移動手摺５の消毒（洗浄）処理を開始する。すなわち、スライド機構２３Ａを作動させて、第１の含浸ローラ１８が塗布ローラ１７と接触するように、第１のスライド板２２Ａをスライドさせる一方、第２の含浸ローラ１９が塗布ローラ１７と接触しないように、第２のスライド板２２Ｂをスライドさせる。
その後、昇降機構２１Ａを作動させて、塗布ローラ１７が移動手摺５に接触する（押圧）状態になるまで架台２０Ａを上昇させて、消毒（洗浄）処理を開始する。
【００５５】
続くステップＳ４５では、所定時間が経過したか否かを判断し、所定の時間が経過したと判断すれば、ステップＳ４６に進む。ステップＳ４６では、昇降機構２１Ａを作動させて、移動手摺５に接触させていた塗布ローラ１７が移動手摺５から離れる（非接触となる）所定位置まで架台２０Ａを降下させて、塗布ローラ１７による移動手摺５の消毒処理を終える。なお、上記所定時間は、予め定められた一定時間、移動手摺５が所定回数周回するのに要する時間、又は、汚れの状態に応じて定められた時間などに設定されている。
【００５６】
一方ステップＳ４２において、所定の汚れ状態になっていないと判断すればステップＳ４７に進む。ステップＳ４７では、ウイルス検出部４１からウイルス検出信号を入力したか否かを判断し、ウイルス検出信号を入力したと判断すればステップＳ４８に進む。
【００５７】
ステップＳ４８では、通信部５０を制御して、ウイルス検出に関する情報（例えば、自己の装置の識別情報、及び検出されたウイルスの情報等）を管理センター１００へ送信する処理を行い、その後、ステップＳ４９に進む。
【００５８】
ステップＳ４９では、第２の消毒液３０Ｂを含む第２の含浸ローラ１９と塗布ローラ１７とによる移動手摺５の消毒処理を開始する。すなわち、スライド機構２３Ａを作動させて、第２の含浸ローラ１９が塗布ローラ１７と接触するように、第２のスライド板２２Ｂをスライドさせる一方、第１の含浸ローラ１８が塗布ローラ１７に接触しないように、第１のスライド板２２Ａをスライドさせる。その後、昇降機構２１Ａを作動させて、塗布ローラ１７が移動手摺５に接触する（押圧）状態になるまで架台２０Ａを上昇させて、消毒処理を開始する。
【００５９】
次のステップＳ５０では、所定時間が経過したか否かを判断し、所定時間が経過したと判断すればステップＳ５１に進む。ステップＳ５１では、昇降機構２１Ａを作動させて、移動手摺５に接触させていた塗布ローラ１７が移動手摺５から離れる（非接触となる）所定位置まで架台２０Ａを降下させて、第２の消毒液３０Ｂを含ませた塗布ローラ１７による移動手摺の消毒処理を終える。
【００６０】
一方ステップＳ４７において、ウイルス検出部４１からウイルス検出信号を入力していないと判断すれば、ステップＳ５２に進む。ステップＳ５２では、手摺センサ７１から入力した検知信号に基づいて、前回の消毒動作完了後からの移動手摺５に触れた人数が、所定人数に達したか否かを判断し、所定人数に達したと判断すればステップＳ５３に進む。
【００６１】
ステップＳ５３では、通信部５０を制御して、手摺接触人数に関する情報（例えば、自己の装置の識別情報、前回の消毒動作後からの経過時間、及び検出された手摺接触人数の情報等）を管理センター１００へ送信する処理を行い、その後、ステップＳ４４、Ｓ４５、Ｓ４６の処理、すなわち第１の消毒液３０Ａを含ませた塗布ローラ１７による移動手摺５の消毒処理を行う。
【００６２】
一方、ステップＳ５２において、所定人数に達していないと判断すればステップＳ５４に進む。ステップＳ５４では、前回の消毒動作から所定時間（例えば、数時間）が経過したか否かを判断し、所定時間が経過していないと判断すれば処理を終える一方、所定時間が経過したと判断すれば、ステップＳ４４、Ｓ４５、Ｓ４６の処理、すなわち第１の消毒液３０Ａを含ませた塗布ローラ１７による移動手摺５の消毒処理を行う。
なお、上記消毒処理動作の後、第１の消毒液タンク３２Ａ、第２の消毒液タンク３２Ｂへの消毒液の補充・交換処理動作が行われるようになっている。
【００６３】
上記実施の形態に係る移動手摺消毒装置１０Ｂによれば、ウイルス検出部４１によりウイルスが検出された場合に、塗布ローラ１７に接触させるローラを第１の含浸ローラ１８から第２の含浸ローラ１９に切り換えることができ、消毒効果の高い第２の消毒液３０Ｂで移動手摺５の表面を適切に消毒することができる。例えば、インフルエンザウイルスやノロウイルス等を検出した場合など、公衆衛生上、消毒を行う必要性が高い場合に、タイミングよく、かつ十分な消毒を行うことができ、公衆衛生の向上を図ることができる。また、当該消毒装置の状況等に応じて２種類の消毒液を適切に使い分けることが可能となり、状況に応じた無駄の少ない適切な消毒処理を行うことができる。
【００６４】
また、手摺センサ７１により検出される手摺接触人数に基づいて、第１の含浸ローラ１８を塗布ローラ１７に接触させて、第１の消毒液３０Ａによる消毒動作を行うタイミング及び時間が制御されるので、移動手摺５に接触した累積人数等に基づいた適切な頻度で、左右に設けられた各移動手摺５の消毒を個別に行うことができ、必要以上の消毒（洗浄）処理が行われることを抑制でき、消毒液等のメンテナンス費用を抑えることができる。
【００６５】
また、通信部５０が設けられているので、当該消毒装置で得られた各種の情報（汚れ検出部４０により検出された汚れ状態に関する情報、ウイルス検出部４１により検出されたウイルス検出状態、手摺センサ７１により検出される手摺接触人数、塗布ローラ１７、第１の含浸ローラ１８、第２の含浸ローラ１９の交換時期、消毒液タンク３２Ａ、３２Ｂの交換・補充時期等）を管理センター１００へ送信することができる。
【００６６】
管理センター１００では、例えば、施設内の各エスカレータ１に設置された複数の移動手摺消毒装置１０Ｂの上記した情報を一元的に管理することが可能となり、これら情報に基づき、移動手摺消毒装置１０Ｂ毎に適切なタイミングで必要なメンテナンスを行うことが可能となり、情報の共有性及びメンテナンス性を向上させることができる。
【００６７】
また、移動手摺消毒装置１０Ｂでは、塗布ローラ１７の軸受部２０ｄ、第１の含浸ローラ１８の軸受部２２ｄ及び第２の含浸ローラ１９の軸受部（図示せず）が、各ローラ回転軸の回転動作に回転摺動抵抗が付与されるように構成されているので、塗布ローラ１７の回転速度を、移動手摺５の移動速度よりも遅くなるように調整することができ、塗布ローラ１７と移動手摺５との間に回転摺動抵抗（スリップさせる状態）を生じさせることで、消毒液の塗布効率及び汚れの拭き取り効率等を高めることができる。
【００６８】
なお、上記移動手摺消毒装置１０Ｂでは、汚れ検出部４０とウイルス検出部４１とを設けているが、別の実施の形態では、ウイルス検出部４１を設ける一方、汚れ検出部４０を設けない構成とし、ウイルス検出部４１で所定のウイルスが検出された場合のみ、塗布ローラ１７に接触させるローラを第１の含浸ローラ１８から第２の含浸ローラ１９に切り換えて、第２の消毒液３０Ｂによる所定時間の消毒動作を行い、それ以外の通常時には、第１の含浸ローラ１８を塗布ローラ１７に接触させて、第１の消毒液３０Ａを含ませた塗布ローラ１７による移動手摺５の消毒（洗浄）処理を常時継続して行う構成とすることもできる。
【００６９】
また、更に別の実施の形態では、汚れ検出部４０とウイルス検出部４１とは設けずに、手摺センサ７１からの検出信号に基づいて、塗布ローラ１７に接触させるローラの切換を行うように構成することもできる。例えば、手摺接触人数が所定人数になった場合に、塗布ローラ１７に第１の含浸ローラ１８を接触させて、第１の消毒液３０Ａによる消毒（洗浄）を行う一方、所定時間が経過した場合に、塗布ローラ１７に第２の含浸ローラ１９を接触させて、定期的に第２の消毒液３０Ａによる消毒を行うように構成することもできる。
【００７０】
また、手摺センサ７１に代えて、人感センサ（エスカレータ１の乗り口付近等に設置され、エスカレータに乗る人を検知するセンサ）を利用することもできる。人感センサは、赤外線センサや画像センサなどを含んで構成され、人感センサで検出された信号が制御部６０Ｂに出力される構成とすることができる。また、このような人感センサを複数装備して、エスカレータ１のステップの右側、又は左側に位置することを検出する構成とすることもできる。
【００７１】
人感センサにより検出される乗客人数に基づいて、消毒動作を行うタイミング及び時間が制御すれば、累積乗客人数に基づいた適切な頻度で、移動手摺５の消毒を行うことができ、必要以上の消毒処理が行われることを抑制でき、消毒液等のメンテナンス費用を抑えることができる。
【００７２】
また、管理センター１００では、各消毒装置の人感センサにより検出された累積乗客人数を管理することができ、消毒装置毎に適切なタイミングで必要なメンテナンスを行うことが可能となる。
【００７３】
さらに、上記実施の形態の移動手摺消毒装置１０Ｂの別の実施の形態では、移動手摺５の表面に温風を吹き付ける等により、塗布された消毒液の乾燥を促進させる乾燥部を設ける構成とすることができ、また、移動手摺５の表面に余分に付着した消毒液を拭き取る払拭部材を設置する構成とすることもできる。また、移動手摺消毒装置１０Ｂは、乗客を水平方向または少し傾斜した方向に移動させる、所謂動く歩道などの他の乗客コンベアにも適用することができる。
【符号の説明】
【００７４】
１  エスカレータ
５  移動手摺
１０Ｂ  移動手摺消毒装置
２０Ａ  架台
２１Ａ  昇降機構
２２Ａ、２２Ｂ  スライド板
２３Ａ  スライド機構
３０Ａ、３０Ｂ  消毒液
３１Ａ、３１Ｂ  ポンプ
３２Ａ、３２Ｂ  消毒液タンク
４０  汚れ検出部
４１  ウイルス検出部
５０  通信部
６０Ｂ  制御部
７１  手摺センサ
【要約】
【課題】装置の状況等に応じて消毒液を適切に使い分けることが可能であり、無駄の少ない適切な消毒処理を行うことができる乗客コンベアの移動手摺消毒装置を提供すること。
【解決手段】消毒装置１０Ｂは、移動手摺５の表面に接触させる塗布ローラ１７と、消毒液を供給する第１の含浸ローラ１８及び第２の含浸ローラ１９と、第１のスライド部２２Ａ、第２のスライド部２２Ｂ及びこれらを個別にスライド移動させるスライド機構２３Ａを含む接触ローラ切換手段と備え、所定の切換条件が成立した場合に、制御部６０Ｂが、スライド機構部２３Ａを制御して、第１のスライド部２２Ａと第２のスライド部２２Ｂとを個別にスライド移動させて、塗布ローラ１７に接触させるローラを第１の含浸ローラ１８から第２の含浸ローラ１９、又は第２の含浸ローラ１９から前記第１の含浸ローラ１８に切り換える。
【選択図】図２【図１】
0005490296.tif 000002
【図２】
0005490296.tif 000003
【図３】
0005490296.tif 000004
【図４】
0005490296.tif 000005